(57)【要約】  手首の動きを妨げることがないグローブ（１）を提供する。  ５本の指部（２，３，４，５，６）と掌部（７）と甲部（８）とを有するグローブ本体（９）と、手の幅方向に巻いてから甲部（８）に重ねて固定されるバンド（１０）とを備え、手をグローブ本体（９）に差し入れてバンド（１０）を固定した状態において、甲部（８）の手首側の端縁（８Ａ，１０Ａ）の中央部分（８ａ）が、手首と手の甲との境界（Ｋ）よりも指側に位置し、バンド（１０）の手首側の端縁（１０Ａ）の中央部分（１０ａ）が、手首と手の甲との境界（Ｋ）よりも指側に位置している。
2015092881.tif 000002
【特許請求の範囲】
【請求項１】
手に装着するグローブであって、  ５本の指部と掌部と甲部とを有するグローブ本体と、手の幅方向に巻いてから前記甲部に重ねて固定されるバンドとを備え、  手を前記グローブ本体に差し入れて前記バンドを固定した状態において、前記甲部の手首側の端縁の中央部分が、手首と手の甲との境界よりも指側に位置し、前記バンドの手首側の端縁の中央部分が、手首と手の甲との境界よりも指側に位置していることを特徴とするグローブ。
【請求項２】
前記掌部の幅方向小指側端部又は親指側端部から前記バンドが延びていることを特徴とする請求項１に記載のグローブ。
【請求項３】
前記甲部の手の幅方向一端から該甲部の中央部分まで至る端縁が、該中央部分に向かうほど指側に位置するように傾斜し、前記バンドの手の幅方向他端から該バンドの中央部分まで至る端縁が、該中央部分に向かうほど指側に位置するように傾斜しており、手を前記グローブ本体に差し入れて前記バンドを固定した状態において、前記甲部の端縁と前記バンドの端縁とで前記中央部分に向かうほど幅が狭くなる開放部を形成していることを特徴とする請求項１又は２に記載のグローブ。
【発明の詳細な説明】
【技術分野】
【０００１】  本発明は、自転車、モーターボート、オートバイ、釣り等を行う際に特に有用なグローブに関する。
【背景技術】
【０００２】  上記グローブは、手の指先から手首までを差し入れることができるグローブ本体と、手からグローブ本体が容易に外れることがないようにグローブ本体の手首部分を締め付けるためのリストバンドとを備えている（例えば、特許文献１参照）。
【先行技術文献】
【特許文献】
【０００３】
【特許文献１】日本国実用新案登録第３０８６１８８号公報
【発明の概要】
【発明が解決しようとする課題】
【０００４】  上記特許文献１の構成によれば、手首が、リストバンドで締め付けられている状態では、特に、手首を掌側へ曲げるあるいは手首を手の甲側へ曲げるときに、手首の動きが妨げられる。そのため、例えば自転車のハンドル形状に合わせて手首を曲げて最適ポジションを取ることや、釣り時に手首を回しながらハンドルを回転させてリールを巻き上げることがし難いものであり、改善の余地があった。【０００５】  本発明が前述の状況に鑑み、解決しようとするところは、手首の動きを妨げることがないグローブを提供することを課題とする。
【課題を解決するための手段】
【０００６】  本発明のグローブは、前述の課題解決のために、手に装着するグローブであって、５本の指部と掌部と甲部とを有するグローブ本体と、手の幅方向に巻いてから前記甲部に重ねて固定されるバンドとを備え、手を前記グローブ本体に差し入れて前記バンドを固定した状態において、前記甲部の手首側の端縁の中央部分が、手首と手の甲との境界よりも指側に位置し、前記バンドの手首側の端縁の中央部分が、手首と手の甲との境界よりも指側に位置していることを特徴としている。【０００７】  本発明の構成によれば、手をグローブ本体に差し入れてバンドを手の幅方向に巻いてから甲部に重ねて固定することによって、手からグローブが外れ難くなる。このグローブの装着状態において、甲部の手首側の端縁の中央部分が、手首と手の甲との境界よりも指側に位置し、バンドの手首側の端縁の中央部分が、手首と手の甲との境界よりも指側に位置していることから、甲部の手首側の端縁とバンドの手首側の端縁とでグローブの手の甲側の手首側部分が開放される開放部が形成される。この開放部によって手の甲の手首側端部を露出させることができ、手首の動きが妨げられることがない。従って、例えば自転車のハンドル形状に合わせて手首を曲げて最適ポジションを取ることや、釣り時に手首を回しながらハンドルを回転させてリールを巻き上げることを良好に行うことができる。【０００８】  また、本発明のグローブは、前記掌部の幅方向小指側端部又は親指側端部から前記バンドが延びていてもよい。【０００９】  また、本発明のグローブは、前記甲部の手の幅方向一端から該甲部の中央部分まで至る端縁が、該中央部分に向かうほど指側に位置するように傾斜し、前記バンドの手の幅方向他端から該バンドの中央部分まで至る端縁が、該中央部分に向かうほど指側に位置するように傾斜しており、手を前記グローブ本体に差し入れて前記バンドを固定した状態において、前記甲部の端縁と前記バンドの端縁とで前記中央部分に向かうほど幅が狭くなる開放部を形成していてもよい。【００１０】  上記のように、手の幅方向両端から指部側へ向かうほど幅が狭くなる開放部を形成することによって、出来るだけ手を覆って手の装着感を十分に出すことができながらも、中央部分に向かうほど広く開放されている開放部で手首の動きが妨げられることを確実に阻止することができる。
【発明の効果】
【００１１】  以上の如く、本発明によれば、手の甲の手首側端部を露出させることができるので、手首の動きが妨げられることがないグローブを提供することができる。
【図面の簡単な説明】
【００１２】
【図１】本発明のグローブを手の甲側から見た正面図であり、バンドを手の甲に固定していない状態を示している。
【図２】本発明のグローブを手の甲側から見た正面図である。
【図３】本発明のグローブを掌側から見た背面図で
【図４】本発明のグローブを手に装着して自転車のハンドルを握っている状態を示す斜視図である。
【図５】別の形態を示すグローブを手の甲側から見た正面図である。
【図６】別の形態を示すグローブを手の甲側から見た正面図である。
【図７】別の形態を示すグローブを手の甲側から見た正面図である。
【発明を実施するための形態】
【００１３】  図１〜図３は、本発明のグローブ１を示している。このグローブ１は、左手用（左利き用）のグローブであるが、右手用（右利き用）のグローブも同様であり、図示及び説明は省略する。図に示すグローブ１は、具体的には、５本の指部２，３，４，５，６と掌部７と甲部８とを有するグローブ本体９と、掌部７に設けられたバンド１０とを備えている。このグローブ１は、特に自転車、モーターボート、オートバイ、釣り等を行う際に用いられる。
【００１４】  ５本の指部２，３，４，５，６は、親指部２、人差し指部３、中指部４、薬指部５、小指部６からなり、後述する掌部７を構成する第１シート１１と、甲部８を構成する第４シート１６とで構成されている。各指部２又は３又は４又は５又は６は、各指の付け根から第２関節までを覆う長さに構成されている。また、人差し指部３と中指部４の互いに対向する２つの側面部が指の付け根で繋がっており、１枚のメッシュニットＭ１から構成されている。また、中指部４と薬指部５の互いに対向する２つの側面部が指の付け根で繋がっており、１枚のメッシュニットＭ２から構成されている。また、薬指部５と小指部６の互いに対向する２つの側面部が指の付け根で繋がっており、１枚のメッシュニットＭ３から構成されている。
【００１５】  掌部７は、４本の指部３，４，５，６の掌側部分が一体化された第１シート１１と、掌の大部分を覆う第２シート１２と、親指の下方の掌側部分を覆う第３シート１３とを備えている。これらシート１１，１２，１３は、人工皮革で構成されている。また、これら互いに隣り合う第１シート１１と第２シート１２及び第２シート１２と第３シート１３とが、隣り合う端部同士で縫い合わされている。第２シート１２には、第２シート１２の表面から突出するクッション部材１４を備えている。また、第３シート１３にも、第３シート１３の表面から突出するクッション部材１５を備えている。各クッション部材１４又は１５は、図示していないクッション材の表裏を人工皮革で覆って構成されている。この表側の人工皮革の表面には、滑り止め処理が施されている。
【００１６】  甲部８は、４本の指部３，４，５，６の手の甲側部分が一体化された第４シート１６と、親指と人差し指との間の水かき部分（合谷とも言う）を覆う補助シートＨと、補助シートＨの人差し指部分から手首側へ斜めに至る手の甲の部分を覆う第５シート１７、補助シートＨの親指部分から手首側へ斜めに至る手の甲の部分を覆う第６シート１８、第５シート１７と第６シート１８とを連結する第７シート１９とを備えている。第４シート１６と第７シート１９とが、伸縮素材のストレッチニットで構成されており、グローブ１を手に装着する場合に、第４シート１６と第７シート１９とが伸びることによって、グローブ１を手に良好にフィットさせることができる。補助シートＨ及び第５シート１７が、人工皮革で構成されている。第６シート１８が、タオル生地で構成されている。
【００１７】  バンド１０は、人工皮革で構成される１枚の第８シート２０と、第８シート２０の内面に設けられる後述する面ファスナー２３とから構成されている。第８シート２０は、掌部７の小指側端に縫い付けられる基端部２１と、基端部２１から延びる先端部２２とを備えている。基端部２１は、先端部側ほど幅狭に構成され、先端部２２は、基端部２１よりも幅狭に構成されるとともに、先端側ほど幅狭に構成されている。また、先端部２２は、掌部７の幅方向外側へ先端側ほど指部（図では上方）に位置するように斜め上方（傾斜方向）へ延びている。更に、先端部２２の内面には、雄型の面ファスナー２３が縫い付けられ、この雄型の面ファスナー２３に係脱自在な雌型の面ファスナー２４が、甲部８の第５シート１７の外面（表面）に縫い付けられている。
【００１８】  雌型の面ファスナー２４が、雄型の面ファスナー２３よりも長い寸法、図では雄型の面ファスナー２３の約２倍の長さに構成されている。この構成により、手の大きさの違いに合わせて、雌型の面ファスナー２４に対する雄型の面ファスナー２３の係止位置を雌型の面ファスナー２４の長さ方向で変更するこができる。このように構成されたバンド１０を、掌の幅方向小指側部分を通って甲部８側へ回り込ませてから甲部８に重ねることによって、面ファスナー２３，２４が係止する。この係止によって、バンド１０が甲部８に固定され、手にグローブ１を強固に締め付けることができる。ここでは、バンド１０の長さがグローブ１の幅寸法よりも短い寸法にしているが、グローブ１を一周以上巻ける長さに設定してもよい。
【００１９】  第５シート１７は、指部側に向かうほど指部に位置するように斜め上方（傾斜方向）へ延びている。従って、雌型の面ファスナー２４も指部側に向かうほど指部側に位置するように斜め上方（傾斜方向）となる傾斜姿勢で縫い付けられている。このように雌型の面ファスナー２４を甲部８に対して傾斜姿勢で設けることによって、手の甲の幅方向に延びるように構成されたバンドに比べて、バンド長さを長くすることができる。ゆえに、手の大きさに合わせてバンド１０を固定できる範囲を拡大することができる。
【００２０】  このように構成されたグローブ本体９に手を差し入れてバンド１０を固定した状態において、図４に示すように、甲部８の手首側の端縁８Ａの中央部分８ａが、手首と手の甲との境界Ｋよりも指側に位置し、バンド１０の手首側の端縁１０Ａの中央部分１０ａが、手首と手の甲との境界Ｋよりも指側に位置している。また、甲部８の手の幅方向一端８Ｔから甲部８の中央部分８ａまで至る端縁８Ａ１が、中央部分８ａに向かうほど指側に位置するように傾斜し、バンド１０の手の幅方向他端１０Ｔからバンド１０の中央部分１０ａまで至る端縁１０Ａ１が、中央部分１０ａに向かうほど指側に位置するように傾斜している。従って、手をグローブ本体９に差し入れてバンド１０を固定した状態において、甲部８の端縁８Ａ１とバンド１０の端縁１０Ａ１とで中央部分８ａ，１０ａ（指部側）に向かうほど幅が狭くなる開放部２６を形成している。この開放部２６は、指側に頂角が位置するほぼ三角形状に形成されている。また、甲部８の中央部分８ａから小指側の端８Ｖまで至る端縁８Ａ２が、小指側の端８Ｖに向かうほど指側に位置するように傾斜している。また、バンド１０の中央部分１０ａから人差し指側の端１０Ｖまで至る端縁１０Ａ２が、人差し指側の端１０Ｖに向かうほど指側に位置するように傾斜している。尚、甲部８の手首側の端縁８Ａの中央部分８ａ及びバンド１０の手首側の端縁１０Ａの中央部分１０ａは、手の幅方向において人差し指から薬指までの幅の大きさに相当する。図に示した中央部分８ａ，１０ａは、手の幅方向の中央に相当する部分であり、図では中央部分における中央部を指している。
【００２１】  従って、手をグローブ本体９に差し入れてバンド１０を手の甲側に重ねるように巻いてから甲部８に固定することによって、手からグローブ１が外れ難くなる。このグローブ１の装着状態において、甲部８の手首側の端縁８Ａとバンド１０の手首側の端縁１０Ａとが交差する中央部分８ａ，１０ａが、手首と手の甲との境界Ｋよりも指側に位置している。よって、甲部８の手首側の端縁８Ａのうちの一端８Ｔから中央部分８ａまで至る端縁８Ａ１とバンド１０の手首側の端縁１０Ａのうちの他端１０Ｔから中央部分１０ａまで至る端縁１０Ａ１とで開放部２６が形成される。この開放部２６によって手の甲の手首側端部２５を露出させることができ、手首の動きが妨げられることがない。従って、例えば自転車のハンドル２７形状に合わせて手首を曲げて最適ポジションを取ること（図４参照）や、釣り時に手首を回しながらハンドルを回転させてリールを巻き上げることを良好に行うことができる。
【００２２】  図４では、手にグローブ１を装着して自転車のハンドル２７を握っている状態を示している。この状態は、手首２８が掌側（内側）に曲がり、手の甲の手首側端部２５が伸ばされた状態を示している。この手首が曲がるときに、手の甲の手首側端部２５がグローブ１から露出していることから、手首２８の動きが妨げられることがない。従って、図４に示すようにハンドル２７の形状に合わせて手首２８を曲げて最適ポジションを取ることを良好に行うことができる。
【００２３】  尚、本発明は、前記実施形態に限定されるものではなく、本発明の要旨を逸脱しない範囲で種々の変更が可能である。
【００２４】  例えば、グローブ１を構成する第１シート１１〜第８シート２０、補助シートＨ、バンド１０を構成する材料は、実施形態で示したものに限定されるものではなく、各種の材料を用いることができる。
【００２５】  前記実施形態では、５本の指部２，３，４，５，６の全てを、指の付け根から第２関節までを覆う長さに構成したが、指の付け根から第１関節までを覆う長さに構成してもよく、指部を覆う長さは、自由に変更できる。また、指の一部を覆う指部に構成する他、指の全長を覆う指部に構成してもよい。この場合、指の全長を覆う長さに構成した指部と指の一部を覆う指部とを混在する状態で設けて実施することもできる。
【００２６】  また、前記実施形態では、バンド１０を、手の甲の表面に小指から親指に向かうほど指側に位置する傾斜姿勢、つまり手の幅方向と交差する傾斜姿勢に構成したが、図５に示すように、手の幅方向に沿う水平姿勢に構成してもよい。バンド１０は、掌部７の小指側端に一端が縫い付けられ、他端側ほど幅狭となっている基端部２９と、基端部２９から同一幅で延びる先端部３０とを備えている。図５では、５本の指部２，３，４，５，６の手の甲側部分と甲部８とが１枚のシート３１で構成されている場合を示しているが、２枚以上のシートで構成してもよい。また、大きな長方形の破線部分３２が、シート３１の外面（表面）に縫い付けられた雌型（又は雄型）の面ファスナーであり、小さな長方形の破線部分３３が、バンド１０の先端部３０の内面に縫い付けられた雄型（又は雌型）の面ファスナーである。また、甲部８の手首側の端縁８Ａが、親指側端８Ｔから中央部分８ａまでの第１傾斜端縁８Ａ１と、中央部分８ａから小指側端８Ｖまでの第２傾斜端縁８Ａ２とからなっている。第１傾斜端縁８Ａ１と第２傾斜端縁８Ａ２の傾斜角度が異なっており、図５では、第１傾斜端縁８Ａ１が第２傾斜端縁８Ａ２よりも大きな傾斜角度になっている。また、バンド１０の手首側の端縁１０Ａが、小指側端１０Ｔから中央部分１０ａまでの傾斜端縁１０Ａ１と、中央部分１０ａから親指側端１０Ｖまでの水平端縁１０Ａ２とからなっている。甲部８の第１傾斜端縁８Ａ１とバンド１０の傾斜端縁１０Ａ１とでほぼ三角形状の開放部２６を形成している。図５の説明しなかった他の部分は、図２及び図４と同じ符号を付し、説明は省略している。
【００２７】  また、前記実施形態では、開放部２６を、ほぼ三角形状に形成しているが、各種形状に形成してもよい。例えば、図６では、ほぼ台形状の開放部２６に形成している。つまり、甲部８の手首側端縁８Ａの形状を長方形状に構成し、この長方形状の甲部８の手首側端縁８Ａの小指側をバンド１０の基端部２９で覆うことによって、ほぼ台形状の開放部２６が形成されている。前記甲部８の手首側端縁８Ａは、親指側端８Ｔから上方（指側）へ所定距離立ち上がる縦端縁と縦端縁の指側端（上端）から手の幅方向の中央部分８ａまで至る水平端縁とからなる第１端縁８Ａ１と、中央部分８ａから小指側端へ手の幅方向に沿って形成される水平端縁と水平端縁の小指側端から手首側（下方）に延びる縦端縁とからなる第２端縁８Ａ２とからなっている。
【００２８】  また、図７では、ほぼ円弧状の開放部２６に形成している。つまり、甲部８の手首側端縁８Ａの形状を円弧形状に構成し、この長方形状の甲部８の手首側端縁８Ａの小指側をバンド１０の基端部２９で覆うことによって、ほぼ円弧状の開放部２６が形成されている。また、図７では、図５のバンド部１０の先端部３０を、人差し指側ほど指側に位置する傾斜姿勢（図１〜図４と同じ傾斜姿勢）にしている。前記甲部８の手首側端縁８Ａは、親指側端８Ｔから中央部分８ａまでの第１円弧端縁８Ａ１と、中央部分８ａから小指側端８Ｖまでの第２円弧端縁８Ａ２とからなっている。
【００２９】  また、前記実施形態では、甲部８の手首側の端縁８Ａの全体が、手首と手の甲との境界Ｋよりも指側に位置し、バンド１０の手首側の端縁１０Ａの全体が、手首と手の甲との境界Ｋよりも指側に位置する構成であったが、甲部８の手首側の端縁８Ａの中央部分８ａのみが手首と手の甲との境界Ｋよりも指側に位置し、バンド１０の手首側の端縁１０Ａの中央部分１０ａのみが、手首と手の甲との境界Ｋよりも指側に位置する構成であってもよい。
【００３０】  また、前記実施形態では、バンド１０を甲部８に固定する固定手段として、バンド１０の内面に設けた面ファスナー２３と甲部８の外面（表面）に設けた面ファスナー２４とから構成したが、甲部８に設けた被係止部と、バンド１０に設けられ、前記被係止部の係止及び係止解除可能な係止部とから構成してもよい。
【００３１】  また、前記実施形態では、バンド１０を掌７の小指側端に縫着したが、掌７の親指側端に縫着して、バンド１０を手の幅方向親指側部分を通って甲部８側へ回り込ませてもよい。また、バンド１０を掌７に縫着しないで掌を構成するシート部材に一体形成してもよい。
【符号の説明】
【００３２】  １…グローブ、２…親指部、３…人差し指部、４…中指部、５…薬指部、６…小指部、７…掌部、８…甲部、８Ａ…手首側の端縁、９…グローブ本体、１０…バンド、１０Ａ…手首側の端縁、１１…第１シート、１２…第２シート、１３…第３シート、１４，１５…クッション部材、１６…第４シート、１７…第５シート、１８…第６シート、１９…第７シート、２０…第８シート、２１…基端部、２２…先端部、２３…雄型の面ファスナー、２４…雌型の面ファスナー、２５…手首側端部、２６…開放部、２７…ハンドル、２８…手首、２９…基端部、３０…先端部、３１…シート、３２，３３…面ファスナー、Ｈ…補助シート
【図１】
2015092881.tif 000003
【図２】
2015092881.tif 000004
【図３】
2015092881.tif 000005
【図４】
2015092881.tif 000006
【図５】
2015092881.tif 000007
【図６】
2015092881.tif 000008
【図７】
2015092881.tif 000009
【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
手に装着するグローブであって、
５本の指部と掌部と甲部とを有するグローブ本体と、手の幅方向に巻いてから前記甲部に重ねて固定されるバンドとを備え、
手を前記グローブ本体に差し入れて前記バンドを固定した状態において、前記甲部の手首側の端縁の中央部分が、手首と手の甲との境界よりも指側に位置し、前記バンドの手首側の端縁の中央部分が、手首と手の甲との境界よりも指側に位置しており、
前記甲部は、親指部を除いた４本の指部と手の甲側部分とが一体化された指部側シートと、親指と人差し指との間の水かき部分を覆う補助シートと、該補助シートの人差し指部分から手首側へ斜めに至るとともに手の甲の部分を覆う人差し指側シートと、前記補助シートの親指部分から手首側へ斜めに至るとともに手の甲の部分を覆う親指側シートと、前記人差し指側シートと前記親指側シートとを連結する連結シートとを備え、
前記連結シートが伸縮素材で構成されていることを特徴とするグローブ。
【請求項２】
前記指部側シートが伸縮素材で構成されていることを特徴とする請求項１に記載のグローブ。
【請求項３】
前記甲部の手首側の端縁が、親指側端から中央部分までの第１傾斜端縁と、該中央部分から小指側端までの第２傾斜端縁とを備え、前記第１傾斜端縁の傾斜角度と前記第２傾斜端縁の傾斜角度とが異なっていることを特徴とする請求項１又は２に記載のグローブ。
【手続補正２】
【補正対象書類名】明細書
【補正対象項目名】０００６
【補正方法】変更
【補正の内容】
【０００６】
本発明のグローブは、前述の課題解決のために、手に装着するグローブであって、５本の指部と掌部と甲部とを有するグローブ本体と、手の幅方向に巻いてから前記甲部に重ねて固定されるバンドとを備え、手を前記グローブ本体に差し入れて前記バンドを固定した状態において、前記甲部の手首側の端縁の中央部分が、手首と手の甲との境界よりも指側に位置し、前記バンドの手首側の端縁の中央部分が、手首と手の甲との境界よりも指側に位置しており、前記甲部は、親指部を除いた４本の指部と手の甲側部分とが一体化された指部側シートと、親指と人差し指との間の水かき部分を覆う補助シートと、該補助シートの人差し指部分から手首側へ斜めに至るとともに手の甲の部分を覆う人差し指側シートと、前記補助シートの親指部分から手首側へ斜めに至るとともに手の甲の部分を覆う親指側シートと、前記人差し指側シートと前記親指側シートとを連結する連結シートとを備え、前記連結シートが伸縮素材で構成されていることを特徴としている。
【手続補正３】
【補正対象書類名】明細書
【補正対象項目名】０００８
【補正方法】変更
【補正の内容】
【０００８】
また、本発明のグローブは、前記指部側シートが伸縮素材で構成されていてもよい。
【手続補正４】
【補正対象書類名】明細書
【補正対象項目名】０００９
【補正方法】変更
【補正の内容】
【０００９】
また、本発明のグローブは、前記甲部の手首側の端縁が、親指側端から中央部分までの第１傾斜端縁と、該中央部分から小指側端までの第２傾斜端縁とを備え、前記第１傾斜端縁の傾斜角度と前記第２傾斜端縁の傾斜角度とが異なっていてもよい。
【手続補正５】
【補正対象書類名】明細書
【補正対象項目名】００１０
【補正方法】削除
【補正の内容】
【手続補正６】
【補正対象書類名】明細書
【補正対象項目名】００１６
【補正方法】変更
【補正の内容】
【００１６】
甲部８は、４本の指部３，４，５，６の手の甲側部分が一体化された指部側シートである第４シート１６と、親指と人差し指との間の水かき部分（合谷とも言う）を覆う補助シートＨと、補助シートＨの人差し指部分から手首側へ斜めに至る手の甲の部分を覆う人差し指側シートである第５シート１７、補助シートＨの親指部分から手首側へ斜めに至る手の甲の部分を覆う親指側シートである第６シート１８、第５シート１７と第６シート１８とを連結する連結シートである第７シート１９とを備えている。第４シート１６と第７シート１９とが、伸縮素材のストレッチニットで構成されており、グローブ１を手に装着する場合に、第４シート１６と第７シート１９とが伸びることによって、グローブ１を手に良好にフィットさせることができる。補助シートＨ及び第５シート１７が、人工皮革で構成されている。第６シート１８が、タオル生地で構成されている。
【手続補正７】
【補正対象書類名】明細書
【補正対象項目名】００２０
【補正方法】変更
【補正の内容】
【００２０】
このように構成されたグローブ本体９に手を差し入れてバンド１０を固定した状態において、図４に示すように、甲部８の手首側の端縁８Ａの中央部分８ａが、手首と手の甲との境界Ｋよりも指側に位置し、バンド１０の手首側の端縁１０Ａの中央部分１０ａが、手首と手の甲との境界Ｋよりも指側に位置している。また、甲部８の手の幅方向一端８Ｔから甲部８の中央部分８ａまで至る端縁８Ａ１が、中央部分８ａに向かうほど指側に位置するように傾斜し、バンド１０の手の幅方向他端１０Ｔからバンド１０の中央部分１０ａまで至る端縁１０Ａ１が、中央部分１０ａに向かうほど指側に位置するように傾斜している。従って、手をグローブ本体９に差し入れてバンド１０を固定した状態において、甲部８の端縁８Ａ１とバンド１０の端縁１０Ａ１とで中央部分８ａ，１０ａ（指部側）に向かうほど幅が狭くなる開放部２６を形成している。この開放部２６は、指側に頂角が位置するほぼ三角形状に形成されている。また、甲部８の中央部分８ａから小指側の端８Ｖまで至る端縁８Ａ２が、小指側の端８Ｖに向かうほど指側に位置するように傾斜している。また、バンド１０の中央部分１０ａから人差し指側の端１０Ｖまで至る端縁１０Ａ２が、人差し指側の端１０Ｖに向かうほど指側に位置するように傾斜している。尚、甲部８の手首側の端縁８Ａの中央部分８ａ及びバンド１０の手首側の端縁１０Ａの中央部分１０ａは、手の幅方向の中央に相当する部分であり、図では中央部分における中央部を指している。
【手続補正８】
【補正対象書類名】明細書
【補正対象項目名】００２８
【補正方法】変更
【補正の内容】
【００２８】
また、図７では、ほぼ円弧状の開放部２６に形成している。つまり、甲部８の手首側端縁８Ａの形状を円弧形状に構成し、この円弧形状の甲部８の手首側端縁８Ａの小指側をバンド１０の基端部２９で覆うことによって、ほぼ円弧状の開放部２６が形成されている。また、図７では、図５のバンド部１０の先端部３０を、人差し指側ほど指側に位置する傾斜姿勢（図１〜図４と同じ傾斜姿勢）にしている。前記甲部８の手首側端縁８Ａは、親指側端８Ｔから中央部分８ａまでの第１円弧端縁８Ａ１と、中央部分８ａから小指側端８Ｖまでの第２円弧端縁８Ａ２とからなっている。
【手続補正９】
【補正対象書類名】図面
【補正対象項目名】図４
【補正方法】変更
【補正の内容】
【図４】
2015092881.tif 000010
【国際調査報告】
2015092881.tif 000011
2015092881.tif 000012
2015092881.tif 000013
2015092881.tif 000014